(57)【特許請求の範囲】
【請求項１】
画面上に表示される画像を記憶する第１の記憶部と、
画像を複数の単位情報表示領域に分けたときの各単位情報表示領域に１対１に対応する記憶領域からなり、各記憶領域に対応する各単位情報表示領域に単位情報が存在するか否かを表す符号が付されてなる画像パターン情報を記憶する第２の記憶部と、
前記第１の記憶部に記憶された画像に注釈を書き込む注釈書込部と、
前記第１の記憶部に記憶された初期画像に対応する画像パターン情報を前記第２の記憶部に記憶させ、前記第２の記憶部に記憶された画像パターン情報を参照して前記第１の記憶部に記憶された画像中の、単位情報が存在しない単位情報表示領域にのみ、注釈の書き込みが可能であることを表す印を書き込み、前記注釈書込部による注釈の書込みがあった単位情報表示領域については前記印を注釈に書き換える注釈書込制御部とを備えたことを特徴とする注釈付加画像出力装置。
【請求項２】
画面上に表示された画像のハードコピーを出力するプリンタと、
画面上に表示された画像のハードコピーを前記プリンタに出力させるにあたり、前記プリンタに、注釈の書込みが可能であることを表す印を除く画像のハードコピーを出力させる画像出力制御部とを備えたことを特徴とする請求項１記載の注釈付加画像出力装置。
【請求項３】
更に、
画像の一時退避に用いられる第３の記憶部と、
前記プリンタにより、画面上に表示された画像のハードコピーが出力された後、前記第３の記憶部に退避した初期画像を前記第１の記憶部に書き戻す画像復元部を備え、
前記注釈書込制御部は、更に、前記第１の記憶部に記憶された初期画像を、注釈書込み前に、前記第３の記憶部に複写しておくことを特徴とする請求項２記載の注釈付加画像出力装置。
【発明の詳細な説明】
【０００１】
【発明の属する技術分野】
本発明は、画面上に表示された画像に注釈を書き込み、注釈が書き込まれた注釈付加画像をハードコピーとして出力する注釈付加画像出力装置に関する。
【０００２】
【従来の技術】
コンピュータのディスプレイ装置などの画面上に表示された画像をハードコピーとして第三者に配付したり回覧したりする際に、画面上に表示された画像に文字・記号・図形などによる注釈を書き込み、注釈が付加された画像をハードコピーとして出力したいという要求がある。
【０００３】
特に、カラーディスプレイ装置に表示された、色区分に応じてカラーペイントされた表やグラフなどの画像をカラープリンタで出力する場合はカラーペイントされた部分は色区分により識別することができるので、敢えて色についての文字表現による注釈を画像に付加する必要はないが、このようなカラー画像をモノクロ印刷装置で出力すると、多くの場合、ハードコピー上では色の違いは識別できないため、カラーペイントされた部分がその色により何を表現しようとしているのか知ることができない。システムによっては、色を白黒の中間階調として表現できるようにしたものもあるが、色区分による表現には到底及ばない。
【０００４】
【発明が解決しようとする課題】
そこで、画面上に表示されたカラー画像のうちの色区分により表現された部分に文字、記号、図形などによる注釈などを書き込み、色区分による表現を文字表現に置き換えた上でモノクロ印刷装置によりハードコピーとして印刷するようにしたいという要求が生じる。なお、このような場合に、注釈を付加した画像はハードコピーとして出力するものの、注釈を書き込む前の元の画像には変更を加えずに元のままの状態に保持しておきたい場合が多いが、従来の装置では、元の画像に変更を加えずに、画面上に表示された画像に注釈を書き込み注釈の付加された画像をハードコピーとして出力することは難しい。
【０００５】
本発明は、上記の事情に鑑み、元の画像に変更を加えることなく画面上に表示された画像に注釈を書き込み、注釈の付加された画像を出力する注釈付加画面出力装置を提供することを目的とする。
【０００６】
【課題を解決するための手段】
上記の目的を達成する本発明の注釈付加画面出力装置は、
画面上に表示される画像を記憶する第１の記憶部と、
画像を複数の単位情報表示領域に分けたときの各単位情報表示領域に１対１に対応する記憶領域からなり、各記憶領域に対応する各単位情報表示領域に単位情報が存在するか否かを表す符号が付されてなる画像パターン情報を記憶する第２の記憶部と、
画像の一時退避に用いられる第３の記憶部と、
上記第１の記憶部に記憶された画像に注釈を書き込む注釈書込部と、
上記第１の記憶部に記憶された初期画像に対応する画像パターン情報を上記第２の記憶部に記憶させるとともに上記第１の記憶部に記憶された初期画像を上記第３の記憶部に複写しておき、上記上記第２の記憶部に記憶された画像パターン情報を参照して上記第１の記憶部に記憶された画像中の、単位情報が存在しない単位情報表示領域にのみ、上記注釈書込部による注釈の書込みを許容する注釈書込制御部とを備えたことを特徴とする。
【０００７】
ここで、上記注釈書込制御部が、上記第２の記憶部に記憶された画像パターン情報を参照して、上記第１の記憶部に記憶された初期画像中の、単位情報が存在しない単位情報表示領域に注釈の書き込みが可能であることを表す印を書き込み、上記注釈書込部による注釈の書込みがあった単位情報表示領域については上記印を注釈に書き換えるものであることが好ましい。
【０００８】
また、この注釈付加画像出力装置が、画面上に表示された画像のハードコピーを出力するプリンタと、
画面上に表示された画像のハードコピーを上記プリンタに出力させるにあたり、上記プリンタに、注釈の書込みが可能であることを表す印を除く画像のハードコピーを出力させる画像出力制御部とを備えたものであることが好ましい。
【０００９】
さらに、この注釈付加画像出力装置が、上記プリンタにより、画面上に表示された画像のハードコピーが出力された後、上記第３の記憶部に退避した初期画像を上記第１の記憶部に書き戻す画像復元部を備えたものであることが好ましい。
【００１０】
【発明の実施の形態】
以下、本発明の実施形態について説明する。
【００１１】
図１は、本発明の注釈付加画像出力装置の一実施形態を示す概要図である。
【００１２】
図１に示すように、この注釈付加画像出力装置は、画面１０上に表示される画像１４を記憶する画像メモリ１１と、画像１４を複数の単位情報表示領域に分けたときの各単位情報表示領域に１対１に対応する記憶領域からなり、各記憶領域に対応する各単位情報表示領域に単位情報が存在するか否かを表す符号が付されてなる画像パターン情報を記憶する入力識別メモリ１２と、画像１４の一時退避に用いられるバッファメモリ１３と、画像メモリ１１に記憶された画像１４に注釈を書き込む注釈書込部１６と、注釈が書き込まれる前の初期画像１４ａに対応する画像パターン情報を入力識別メモリ１２に記憶させるとともに初期画像１４ａをバッファメモリ１３に複写しておき、入力識別メモリ１２に記憶された画像パターン情報を参照して画像メモリ１１に記憶された初期画像１４ａ中の、単位情報が存在しない単位情報表示領域にのみ注釈書込部１６による注釈の書込みを許容する注釈書込制御部１７とを備えている。
【００１３】
なお、本実施形態における画像メモリ１１は、本発明にいう第１の記憶部に相当するものであり、また、入力識別メモリ１２は、本発明にいう第２の記憶部に相当するものであり、また、バッファメモリ１３は、本発明にいう第３の記憶部に相当するものである。
【００１４】
本実施形態では、注釈書込制御部１７は、入力識別メモリ１２に記憶された画像パターン情報を参照して、画像メモリ１１に記憶された初期画像１４ａ中の、単位情報が存在しない単位情報表示領域に注釈の書き込みが可能であることを表す印を書き込み、注釈書込部１６による注釈の書込みがあった単位情報表示領域については上記の印を注釈に書き換えるように構成されている。
【００１５】
また、本実施形態の注釈付加画像出力装置は、画面１０上に表示された画像１４のハードコピーを出力するプリンタ１８と、画面１０上に表示された画像１４のハードコピーをプリンタ１８に出力させるにあたり、プリンタ１８に、注釈の書込みが可能であることを表す印を除く画像のハードコピーを出力させる画像出力制御部１９とを備えている。
【００１６】
さらに、本実施形態の注釈付加画像出力装置は、プリンタ１８により、画面１０上に表示された画像１４のハードコピーが出力された後、バッファメモリ１３に退避した初期画像１４ａを画像メモリ１１に書き戻す画像復元部２０を備えている。
【００１７】
図２は、本実施形態における注釈書込みに用いられる入力定義画面を示す図であり、図３は、図２に示す入力定義画面に対応する入力識別メモリに記憶された画像パターン情報を示す図である。
【００１８】
図２に示す入力定義画面１５には、画面を複数の単位情報表示領域２１に分けたときの単位情報表示領域２１すべてに、その領域に単位情報が存在しないことを表す●印２２が表示されており、この●印２２が表示された単位情報表示領域２１は、利用者が、文字、記号、図形などの単位情報からなる注釈の書込みが可能な注釈書込許容領域であることを表している。この、単位情報が存在しないことを表す印は、●印に限られるものではなく、利用者にとってその単位情報表示領域が注釈書込許容領域であることが容易に識別できるものでさえあれば、いずれの印、例えば○印や□印を表示してもよく、あるいは画面上の注釈書込み許容領域を他の単位情報表示領域と異なる輝度あるいは異なる色で表示するようにしてもよい。
【００１９】
図３には、図２に示した入力定義画面１５に対応する画像パターン情報を記憶する入力識別メモリ１２内部の記憶状態が示されている。図３に示すように、入力識別メモリ１２に記憶された画像パターン情報は、図２に示した入力定義画面１５の各単位情報表示領域２１に対応する複数の記憶領域２４から構成されている。
【００２０】
図３に示した入力識別メモリ１２の各記憶領域２４には、対応する入力定義画面１５の各単位情報表示領域２１に単位情報が存在しないということを表す符号２３として“０”が記憶されている。
【００２１】
入力定義画面１５上の各単位情報表示領域２１に単位情報が存在する場合には対応する入力識別メモリ１２の各記憶領域２４には、その領域に単位情報が存在するということを表す符号２３として“１”が記憶される。
【００２２】
本実施形態では、注釈書込制御部１７は、入力識別メモリ１２の、符号２３として“０”が記憶されている記憶領域２４に対応する入力定義画面１５の単位情報表示領域２１への文字、記号、図形などからなる注釈の書込みを許容し、符号２３として“１”が記憶されている記憶領域２４に対応する単位情報表示領域２１には注釈の書込みを禁止する制御を行っている。
【００２３】
図４は、本実施形態の注釈付加画像出力装置の動作を示す流れ図である。
【００２４】
以下に、図４とともに図１〜図３、および図５〜図９を参照しながら本実施形態の注釈付加画像出力装置の動作について説明する。
【００２５】
図４に示す流れ図において、利用者からハードコピー処理の要求があると（ステップＳ１）、そのハードコピー処理が注釈付加処理を伴うものであるか否かが判定され（ステップＳ２）、注釈付加処理を伴うものであるときは、注釈書込制御部１７（図１参照）は、利用者による注釈書込みが行われる前に画像メモリ１１に記憶された初期画像１４ａに対応する画像パターン情報を入力識別メモリ１２に記憶するとともに、この初期画像１４ａをバッファメモリ１３に一時退避させる（ステップＳ３）。このように、画像メモリ１１に記憶された初期画像１４ａをバッファメモリ１３に複写しおくことにより、ハードコピー出力後に画面上に初期画像１４ａを復元させるための準備を行う。
【００２６】
なお、ステップＳ２において、ハードコピー処理の要求が注釈付加処理を伴うものであるか否かを識別する方法として種々の方法を採用することができるが、本実施形態では、利用者がキーボード上の特定のキーを押下することにより識別するようにしている。
【００２７】
図５は、本実施形態における初期画像が表示された初期画面を示す図である。
【００２８】
図５に示すように、この初期画面３０には、最上行に“○△□×××…”なる文字列３１が表示され、その下の左側には罫線で囲まれた領域３２、その斜め右下には罫線で囲まれた領域３３、およびその斜め左下には罫線で囲まれた領域３４が表示され、さらに、領域３２の右側には、領域３２内に表示されている内容を説明する凡例として赤色の部分は鹿児島県に関するものであるという意味の６文字からなる文字列３５「赤；鹿児島県」が表示され、領域３３の左側には、領域３３内に表示されている内容を説明する凡例として緑色の部分は沖縄県に関するものであるという意味の５文字からなる文字列３６「緑；沖縄県」が表示され、領域３４の右側には、領域３４内に表示されている内容を説明する凡例として黄色の部分は福岡県に関するものであるという意味の５文字からなる文字列３７「黄；福岡県」が表示されている。
【００２９】
この初期画面３０は、カラーディスプレイ装置上に表示されたカラーペイントされた画面であり、例えば領域３２内は赤色、領域３３内は緑色、領域３４内は黄色でそれぞれ色区分された文字・図形が表示されており、初期画面３０上ではこれらの色の違いが識別できるが、この初期画面３０をモノクロ印刷装置から出力したハードコピー上ではこれらの色の違いを識別することは極めて困難である。
【００３０】
そこで、本実施形態では、利用者が初期画面３０上に直接注釈を書き込むことができるように、画像メモリ１１（図１参照）に記憶された初期画像１４ａに注釈を書き込む注釈書込部１６（図１参照）が備えられている。
【００３１】
図４に戻り流れ図の説明を続ける。
【００３２】
ステップＳ４では、画面上に入力定義画面と初期画面とが重ねて表示される。
【００３３】
図６は、入力定義画面と初期画面とが重ねて表示された重表示画面を示す図である。
【００３４】
図６に示すように、この重表示画面４０は、図２に示した入力定義画面１５と図５に示した初期画面３０とが重ねて表示されたものであり、画面の一部に表示された●印２２は、初期画面３０上になんらの単位情報も表示されておらず、従ってその領域は、利用者による注釈書込みが許容された領域であることを表している。
【００３５】
ここで、注釈書込制御部１７（図１参照）は、重表示画面４０の各単位情報表示領域に対応する入力識別メモリ１２の各記憶領域に記憶されている符号を更新する（ステップＳ５）。すなわち、図６に示した重表示画面４０の各単位情報表示領域２１のうちの、文字・記号・図形などの単位情報が存在する単位情報表示領域に対応する入力識別メモリ１２の記憶領域に符号“１”を書き込む。従って、なんらの単位情報も存在しない単位情報表示領域、すなわち●印２２が表示されている単位情報表示領域に対応する入力識別メモリ１２の記憶領域には符号“０”が記憶されたままとなる。
【００３６】
図７は、図６に示した重表示画面に対応する入力識別メモリに記憶された画像パターン情報を示す図である。
【００３７】
図７に示すように、入力識別メモリ１２上の画像パターン情報には、対応する重表示画面４０（図６参照）上の単位情報表示領域に単位情報が存在する記憶領域２４には符号２３ｂとして“１”が記憶されており、対応する重表示画面４０上の単位情報表示領域に単位情報が存在していない記憶領域２４には符号２３ａとして“０”が記憶されている。
【００３８】
注釈書込制御部１７（図１参照）は、図７に示した、入力識別メモリ１２に記憶された画像パターン情報を参照して、入力識別メモリ１２の記憶領域２４のうちの符号２３ａ“０”が記憶されている記憶領域２４に対応する重表示画面４０上の単位情報表示領域に●印２２を表示するとともに、この印を表示した単位情報表示領域にのみ、注釈書込部１６による注釈の書込みを許容する制御を行う。
【００３９】
こうして、利用者は、重表示画面４０上の●印２２が表示された単位情報表示領域に注釈書込みを行うことができる。
【００４０】
図４に戻り流れ図の説明を続ける。
【００４１】
ステップＳ５における入力識別メモリ１２の符号更新が終了すると、ステップＳ６に進み、利用者による注釈の書込みが行われる。
【００４２】
なお、本実施形態では、利用者が画面上に注釈を書き込むための注釈書込部１６（図１参照）の具体的な装置として、マウスおよびキーボードの双方を用いることができるように構成されている。従って、利用者はマウスまたはキーボードを用いて図６上の●印２２が表示された個所にワープロ感覚で自由に注釈書込みを行うことができる。
【００４３】
図８は、利用者による注釈書込みが行われた後の重表示画面を示す図である。
【００４４】
図８には、重表示画面４０上の、領域４１の中に下線で示したように“鹿児島県”の４文字からなる注釈４２が入力され、領域４３の中に下線で示したように“沖縄県”の３文字からなる注釈４４が入力され、領域４５の中に下線で示したように“福岡県”の３文字からなる注釈４６が入力され、さらに、最下段には、“県別統計表”の５文字からなる注釈４７が入力された後の状態が示されている。
【００４５】
ここで、注釈書込制御部１７（図１参照）は、利用者により注釈が書き込まれた単位情報表示領域に対応する入力識別メモリ１２の記憶領域２４の符号“０”を符号“２”に書き替える。なお、本実施形態では、注釈書込制御部１７は、符号“２”が記憶された記憶領域に対応する単位情報表示領域については、利用者による修正入力を許容するよう制御を行っているので、利用者は重表示画面４０上に自ら入力した注釈を自ら修正することが可能である。
【００４６】
図９は、図８に示した重表示画面に対応する入力識別メモリに記憶された画像パターン情報を示す図である。
【００４７】
図９に示すように、重表示画面４０（図８参照）上の、初期画像にすでに存在していた単位情報の単位情報表示領域に対応する入力識別メモリ１２上の記憶領域２４には符号２３ｂとして“１”が記憶されており、利用者により注釈書込みが行われた単位情報表示領域に対応する入力識別メモリ１２上の記憶領域２４には符号２３ｃとして“２”が記憶されており、なんらの単位情報も存在しない単位情報表示領域、すなわち、重表示画面４０上の、●印２２が表示されている単位情報表示領域に対応する入力識別メモリ１２の記憶領域には符号“０”が記憶されたままとなっている。
【００４８】
図４に戻り流れ図の説明を続ける。
【００４９】
ステップＳ６において、注釈書込みが終了したことが利用者により確認されると、図８に示す重表示画面４０に対応する画像のハードコピーの印刷指示が画像出力制御部１９（図１参照）を介してプリンタ１８に送られる。なお、この時、画像出力制御部１９は、重表示画面４０上に表示された画像のハードコピーをプリンタ１８に出力させるにあたり、プリンタ１８に、注釈の書込みが可能であることを表す●印が表示されている個所を除きハードコピーを出力させるように制御を行う（ステップＳ７）。すなわち、画像出力制御部１９は、●印が重表示画面４０上にそのまま残っている単位情報表示領域には印字情報が存在しないものとして取り扱い何も印字しない制御を行う。
【００５０】
こうして、ハードコピーがプリンタ１８から出力された後に、画像復元部２０（図１参照）は、バッファメモリ１３に複写され一時退避されていた初期画像１４ａを画面上に復元する（ステップＳ８）。次いで印刷終了処理が行われ（ステップＳ１０）、すべての処理が終了する。
【００５１】
一方、ステップＳ２においてハードコピー処理が注釈付加処理を伴わないものであると判定された場合は、注釈付加が行われる前の初期画像１４ａがハードコピーとしてプリンタ１８から出力され（ステップＳ９）、次いで印刷終了処理が行われ（ステップＳ１０）、すべての処理が終了する。
【００５２】
【発明の効果】
以上説明したように、本発明の注釈付加画面出力装置によれば、画面上に表示された元の画像に変更を加えることなく、画面上に表示された画像に対して自由に注釈を付加してハードコピーとして印刷することが可能な注釈付加画面出力装置を実現することができる。
【図面の簡単な説明】
【図１】本発明の注釈付加画像出力装置の一実施形態を示す概要図である。
【図２】本実施形態における注釈書込みに用いられる入力定義画面を示す図である。
【図３】図２に示す入力定義画面に対応する入力識別メモリに記憶された画像パターン情報を示す図である。
【図４】本実施形態の注釈付加画像出力装置の動作を示す流れ図である。
【図５】本実施形態における初期画像が表示された初期画面を示す図である。
【図６】入力定義画面と初期画面とが重ねて表示された重表示画面を示す図である。
【図７】図６に示した重表示画面に対応する入力識別メモリに記憶された画像パターン情報を示す図である。
【図８】利用者による注釈書込みが行われた後の重表示画面を示す図である。
【図９】図８に示した重表示画面に対応する入力識別メモリに記憶された画像パターン情報を示す図である。
【符号の説明】
１０    画面
１１    画像メモリ
１２    入力識別メモリ
１３    バッファメモリ
１４    画像
１４ａ    初期画像
１５    入力定義画面
１６    注釈書込部
１７    注釈書込制御部
１８    プリンタ
１９    画像出力制御部
２０    画像復元部
２１    単位情報表示領域
２２    ●印
２３，２３ａ，２３ｂ，２３ｃ    符号
２４    記憶領域
３０    初期画面
３１    文字列
３２，３３，３４    領域
３５，３６，３７    文字列
４０    重表示画面
４１，４２，４３    領域
４４    注釈
４５    領域
４６，４７    注釈
【図１】
0004191327.tif 000002
【図２】
0004191327.tif 000003
【図３】
0004191327.tif 000004
【図４】
0004191327.tif 000005
【図５】
0004191327.tif 000006
【図６】
0004191327.tif 000007
【図７】
0004191327.tif 000008
【図８】
0004191327.tif 000009
【図９】
0004191327.tif 000010